(57)【要約】【課題】  装置の小型化やコスト削減が可能な放送受信システム及び放送受信方法を提供する。【解決手段】  本発明は第１の周波数帯域を有する放送信号を受信する第１のアンテナ（１０８）と、第１の周波数帯域とは異なる第２の周波数帯域を有する信号を受信する第２のアンテナ（１１２）と、第２の周波数帯域を有する信号を第１の周波数帯域に変換する周波数変換手段（１１４）と、第１のアンテナ（１０８）からの放送信号、又は、周波数変換手段（１１４）の出力信号の何れかを選択する選択手段（１１６）と、選択手段（１１６）により選択された信号を復調する復調手段（１１０）とを備えることを特徴とする。【選択図】  図３
2005102105.tif 000002
【特許請求の範囲】
【請求項１】
第１の周波数帯域を有する放送信号を受信する第１のアンテナと、
第１の周波数帯域とは異なる第２の周波数帯域を有する信号を受信する第２のアンテナと、
前記第２の周波数帯域を有する信号を前記第１の周波数帯域に変換する周波数変換手段と、
前記第１のアンテナからの放送信号、又は、前記周波数変換手段の出力信号の何れかを選択する選択手段と、
前記選択手段により選択された信号を復調する復調手段と、
を備えることを特徴とする放送受信システム。
【請求項２】
前記選択手段は、前記第１のアンテナと前記復調手段との間に設けられ、前記放送信号を選択したときにオンし、前記周波数変換手段の出力信号を選択したときにオフする第１のスイッチと、
前記周波数変換手段と前記復調手段との間に設けられ、前記周波数変換手段の出力信号を選択したときにオンし、前記放送信号を選択したときにオフする第２のスイッチとを有することを特徴とする請求項１記載の放送受信システム。
【請求項３】
前記第１のアンテナと前記選択手段との間に設けられ、前記選択手段により前記周波数変換手段の出力信号が選択されたときに、前記第１のアンテナからの前記放送信号が前記選択手段に供給されないようにスイッチングする第３のスイッチを有することを特徴とする請求項１又は２記載の放送受信システム。
【請求項４】
前記第３のスイッチは、前記周波数変換手段の出力信号が選択されたときに、前記第１のアンテナからの前記放送信号を接地に逃がすことを特徴とする請求項３記載の放送受信システム。
【請求項５】
前記周波数変換手段は、前記選択手段により前記第１のアンテナからの前記放送信号が選択されたときに、周波数変換動作が停止されることを特徴とする請求項１乃至４のいずれか一項記載の放送受信システム。
【請求項６】
前記第１の周波数帯域の放送信号は、ＦＭ放送信号、テレビ放送信号及びＡＭ放送信号の何れかであり、
前記第２の周波数帯域の信号は、無線ローカルエリアネットワークの信号であることを特徴とする請求項１乃至５のいずれか一項記載の放送受信システム。
【請求項７】
第１の周波数帯域を有する放送信号を受信するとともに、前記第１の周波数帯域とは異なる第２の周波数帯域を有する信号を受信する受信手順と、
前記第２の周波数帯域の信号を前記第１の周波数帯域に変換する周波数変換手順と、
受信した前記第１の周波数帯域を有する放送信号及び前記第１の周波数帯域に変換された前記第２の周波数帯域を有する信号の何れかを選択する選択手順と、
前記選択した信号を復調する復調手順とを有することを特徴とする放送受信方法。
【請求項８】
前記選択手順は、前記周波数変換手順で周波数変換された信号が選択されたときに、前記放送信号を接地に供給することを特徴とする請求項７記載の放送受信方法。
【請求項９】
前記周波数変換手順は、前記放送信号が選択されたときに、周波数変換動作が停止されることを特徴とする請求項７又は８記載の放送受信方法。
【発明の詳細な説明】
【技術分野】
【０００１】
本発明は放送受信システムに関し、特に、周波数帯域の異なる複数の信号を受信する放送受信システムに関する。
【背景技術】
【０００２】
近年、パーソナルコンピュータ等の情報機器が急速に普及したことに伴い、この情報機器によりＦＭ放送をはじめとする各種の放送を受信することも行われるようになっている。しかし、情報機器は本来、オーディオ用に製造されているわけではないため、出力される音声の劣化が大きい等の問題がある。
【０００３】
このような問題を解決するため、情報機器が自身の受信した放送信号を所定の高周波の信号に変換して再送信し、ミニコンポ等のオーディオ機器が当該高周波の信号を受信し、元の放送信号の周波数に変換した後に復調を行う方法が提案されている。
【０００４】
図９は、従来の放送受信システムの構成例を示す図である。同図に示す放送受信システム５００は、ＦＭ放送を受信するためのものであり、オーディオ機器内に構成される。この放送受信システム５００は、アンテナ５０２、ＦＭチューナ５０４、アンテナ５０６、周波数変換器５０８及びＦＭチューナ５１０を備える。
【０００５】
アンテナ５０２は、ＦＭ放送信号を受信し、ＦＭチューナ５０４へ出力する。ＦＭチューナ５０４は、このＦＭ放送信号を復調し、音声信号を出力する。
【０００６】
一方、アンテナ５０６は、情報機器が自身の受信した放送信号を所定の高周波の信号に変換して再送信した場合に、当該高周波信号を受信し、周波数変換器５０８へ出力する。周波数変換器５０８は、この高周波信号をＦＭ帯域の周波数の信号に変換してＦＭチューナ５１０へ出力する。ＦＭチューナ５１０は、周波数変換器５０８からのＦＭ周波数の信号を復調して音声信号を出力する。
【０００７】
【特許文献１】特開２００２−４４７７６号
【発明の開示】
【発明が解決しようとする課題】
【０００８】
しかしながら、上述した従来の放送受信システムでは、直接に受信した放送信号を復調するためのチューナと、情報機器が再送信する高周波信号が周波数変換されることにより得られる信号を復調するためのチューナとの双方を備える必要があり、装置の小型化やコスト削減の妨げとなっていた。
【０００９】
本発明は、上述した問題を解決するものであり、装置の小型化やコスト削減が可能な放送受信システム及び放送受信方法を提供することを課題とする。
【課題を解決するための手段】
【００１０】
上述した課題を解決するために、本発明は第１の周波数帯域を有する放送信号を受信する第１のアンテナ（１０８）と、第１の周波数帯域とは異なる第２の周波数帯域を有する信号を受信する第２のアンテナ（１１２）と、第２の周波数帯域を有する信号を第１の周波数帯域に変換する周波数変換手段（１１４）と、第１のアンテナ（１０８）からの放送信号、又は、周波数変換手段（１１４）の出力信号の何れかを選択する選択手段（１１６）と、選択手段（１１６）により選択された信号を復調する復調手段（１１０）とを備えることを特徴とする。
【００１１】
また、選択手段（１１６）は、第１のアンテナ（１０８）と復調手段（１１０）との間に設けられ、放送信号を選択したときにオンし、周波数変換手段（１１４）の出力信号を選択したときにオフする第１のスイッチ（１２２）と、周波数変換手段（１１４）と復調手段（１１０）との間に設けられ、周波数変換手段（１１０）の出力信号を選択したときにオンし、放送信号を選択したときにオフする第２のスイッチ（１２４）とを有することを特徴とする。
【００１２】
さらに、本発明は、第１のアンテナ（１０８）と選択手段（１１６）との間に設けられ、選択手段（１１６）により周波数変換手段（１１０）の出力信号が選択されたときに、第１のアンテナ（１０８）からの放送信号が選択手段（１１６）に供給されないようにスイッチングする第３のスイッチ（１５１）を有することを特徴とする。
【００１３】
第３のスイッチ（１５１）は、周波数変換手段（１１０）の出力信号が選択されたときに、第１のアンテナ（１０８）からの放送信号を接地に逃がすことを特徴とする。
【００１４】
周波数変換手段（１１０）は、選択手段（１１６）により第１のアンテナ（１０８）からの放送信号が選択されたときに、周波数変換動作が停止されることを特徴とする。
【００１５】
また、第１の周波数帯域の放送信号は、ＦＭ放送信号、テレビ放送信号及びＡＭ放送信号の何れかであり、第２の周波数帯域の信号は、無線ローカルエリアネットワークの信号であることを特徴とする。
【００１６】
なお、上記参照符号はあくまでも参考であり、これによって、特許請求の範囲が制限されるものではない。
【発明の効果】
【００１７】
本発明によれば、一つの復調手段（１１０）で第１及び第２の周波数の信号を復調できるため、装置の小型化やコスト削減が可能となる。
【００１８】
また、本発明によれば、周波数変換手段（１１４）の出力信号が選択されたときに、第３のスイッチ（１５１）により第１のアンテナ（１０８）からの放送信号を接地に逃がすことにより、第１の周波数帯域の放送信号の復調手段（１１０）への漏れを低減できるなどの特長を有する。
【発明を実施するための最良の形態】
【００１９】
以下、図面を参照しながら本発明の実施するための最良の形態を説明する。本実施形態における放送受信システムは、ミニコンポ等のオーディオ機器内に構成され、直接に受信したＦＭ放送信号を復調する場合と、パーソナルコンピュータ等の情報機器が自身の受信した放送信号を所定の高周波の信号に変換して再送信した際に、その高周波信号を受信して復調する場合とにおいて、１つのＦＭチューナが用いられる。
【００２０】
図１は、本実施形態に係る放送受信システムの外観上面図、図２は、本実施形態に係る放送受信システムの外観側面図である。図１及び図２に示す放送受信システム１００は、ＦＭ放送とともにＡＭ放送を受信することが可能なシステムの一例である。
【００２１】
この放送受信システム１００は、基板１０２と、この基板１０２に構成されるＡＭアンテナ１０２、ＡＭチューナ１０６、ＦＭアンテナ１０８、ＦＭチューナ１１０、高周波アンテナ１１２、周波数変換器１１４、スイッチ部１１６及び接続部１１８を備える。なお、基板１０２におけるＡＭチューナ１０６及びＦＭチューナ１１０が配置された領域は、シールドケース１０３によって覆われ、これらＡＭチューナ１０６及びＦＭチューナ１１０が保護される。また、周波数変換器１１４は、単体でシールドケース内に格納され、保護される。
【００２２】
ＡＭアンテナ１０４は、ＡＭ放送信号を受信する。ＡＭチューナ１０６は、このＡＭアンテナ１０４によって受信されたＡＭ放送信号を復調する。接続部１１８は、オーディオ機器内の他の装置（例えばＣＰＵやスピーカ等）と放送受信システム１００とを接続する外部接続端子である。
【００２３】
ＦＭアンテナ１０８、ＦＭチューナ１１０、高周波アンテナ１１２、周波数変換器１１４及びスイッチ部１１６の処理については、以下の図３及び図４を参照しつつ説明する。
【００２４】
図３は、本実施形態に係る放送受信システム１００の構成例を示す図である。図３に示す放送受信システム１００では、ＦＭ放送の受信に関連する構成のみが示されている。
【００２５】
この放送受信システム１００は、ＦＭアンテナ１０８、ＦＭチューナ１１０、高周波アンテナ１１２、周波数変換器１１４、制御部１２０、スイッチ１２２及び１２４を備える。これらのうち、スイッチ１２２及び１２４は、図１に示すスイッチ部１１６を構成する。
【００２６】
ＦＭアンテナ１０８は、第１の周波数帯域であるＦＭ放送信号（例えば、周波数が８８ＭＨｚ〜１０８ＭＨｚの信号）を受信する。ＦＭアンテナ１０８によって受信されたＦＭ放送信号は、スイッチ１２２へ入力される。
【００２７】
一方、高周波アンテナ１１２は、パーソナルコンピュータ等の情報機器が自身の受信したＦＭ放送信号を第２の周波数帯域の所定の高周波の信号に変換して再送信した際に、その高周波信号を受信する。高周波信号は、例えば９００ＭＨｚ帯の周波数を有する。高周波アンテナ１１２によって受信された高周波信号は、周波数変換器１１４へ入力される。
【００２８】
制御部１２０は、ＦＭアンテナ１０８によって受信されたＦＭ放送信号と、高周波アンテナ１１２によって受信された高周波信号との何れかを選択して、音声信号を出力するために、周波数変換器１１４と、スイッチ１２２及び１２４とを制御する。なお、制御部１２０による制御は、例えばオーディオ機器の利用者の操作指示に応じて行われる。
【００２９】
ここで、スイッチ１２２について説明する。
【００３０】
図４は、スイッチ１２２の回路構成図を示す。
【００３１】
スイッチ１２２は、コンデンサＣ１、Ｃ２、ダイオードＤ１、抵抗Ｒ１、Ｒ２から構成される。入力端子Ｔinには、ＦＭアンテナ１０８からＦＭ放送信号が供給されている。
【００３２】
コンデンサＣ１は、一端が入力端子Ｔinに接続され、他端がダイオードＤ１のアノードに接続される。コンデンサＣ１は、入力端子Ｔinへの直流成分の流出を防止する。
【００３３】
ダイオードＤ１は、アノードがコンデンサＣ１の他端及び抵抗Ｒ１の一端に接続され、カソードがコンデンサＣ２の一端及び抵抗Ｒ２の一端に接続される。コンデンサＣ２は、一端がダイオードＤ１のカソード及び抵抗Ｒ２の一端に接続され、他端が出力端子Ｔoutに接続される。コンデンサＣ２は、出力端子Ｔoutへの直流成分の流出を防止する。なお、出力端子Ｔoutには、ＦＭチューナ１１０が接続される。
【００３４】
抵抗Ｒ１は、一端がコンデンサＣ１の他端とダイオードＤ１のアノードとの接続点に接続され、他端が制御端子Ｔcntに接続される。制御端子Ｔcntには、制御部１２０から切換制御信号が供給される。また、抵抗Ｒ２は、一端がダイオードＤ１のカソードとコンデンサＣ２の一端との接続点に接続され、他端は接地される。
【００３５】
制御部１２０からの切換制御信号がハイレベルのときには、スイッチ１２２の制御端子Ｔcntがハイレベルになる。制御端子Ｔcntがハイレベルになると、ダイオードＤ１のアノードがハイレベルになり、ダイオードＤ１に順方向電圧が印加され、ダイオードＤ１がオンする。ダイオードＤ１がオンすることにより、入力端子ＴinにＦＭアンテナ１０８から供給されるＦＭ放送信号は、コンデンサＣ１、ダイオードＤ１、コンデンサＣ２を通過して、出力端子Ｔoutから出力され、ＦＭチューナ１１０に供給される。すなわち、スイッチ１２２がオンされた状態となる。
【００３６】
また、制御部１２０からの切換制御信号がローレベルのときには、スイッチ１２２の制御端子Ｔcntがローレベルになる。制御端子Ｔcntがローレベルになると、ダイオードＤ１のアノードがローレベルになり、ダイオードＤ１はオフする。ダイオードＤ１がオフすることにより、入力端子ＴinにＦＭアンテナ１０８から供給されるＦＭ放送信号は、ダイオードＤ１で遮断され、ＦＭチューナ１１０に供給されることはない。すなわち、スイッチ１２２はオフされた状態となる。
【００３７】
なお、ここでは、スイッチ１２２について説明したが、スイッチ１２４も同様な構成、動作が行われる。このため、スイッチ１２４の説明は省略する。
【００３８】
具体的には、制御部１２０は、ＦＭアンテナ１０８によって受信されたＦＭ放送信号を選択して、音声信号を出力する場合には、スイッチ１２２をオン、スイッチ１２４をオフにする。この場合、ＦＭアンテナ１０８によって受信されたＦＭ放送信号は、スイッチ１２２を介してＦＭチューナ１１０へ入力される。
【００３９】
一方、制御部１２０は、高周波アンテナ１１２によって受信された高周波信号を選択して、音声信号を出力する場合には、周波数変換器１１４を起動させるとともに、スイッチ１２２をオフ、スイッチ１２４をオンにする。この場合、周波数変換器１１４は、高周波アンテナ１１２からの高周波信号をＦＭ帯域の周波数の信号に変換する。周波数変換器１１４によって周波数がＦＭ帯域に変換された信号は、スイッチ１２４を介してＦＭチューナ１１０へ入力される。
【００４０】
ＦＭチューナ１１０は、入力される信号を復調して音声信号を出力する。具体的には、ＦＭチューナ１１０は、スイッチ１２２がオン、スイッチ１２４がオフの場合には、ＦＭアンテナ１０８によって受信されたＦＭ放送信号を復調し、音声信号を出力する。一方、ＦＭチューナ１１０は、周波数変換器１１４が起動されるとともに、スイッチ１２２がオフ、スイッチ１２４がオンの場合には、高周波アンテナ１１２によって受信され、更に周波数変換器１１４によってＦＭ帯域の周波数に変換された信号を復調し、音声信号を出力する。
【００４１】
図５は、本実施形態に係る放送受信システム１００の詳細な構成例を示す図である。図５に示す放送受信システム１００は、図３に示す放送受信システム１００のより詳細な構成を示している。
【００４２】
この放送受信システム１００は、ＦＭアンテナ１０８、ＦＭチューナ１１０、高周波アンテナ１１２、制御部１２０、スイッチ１２６、１３０、１３２及び１４６、増幅器（アンプ）１３６、局部発振器１３８、分周器１４０、乗算器１４２、バンドパスフィルタ（ＢＰＦ）１４４を備える。これらのうち、局部発振器１３８、分周器１４０及び乗算器１４２は、周波数変換器１１４を構成する。また、スイッチ１２６及びスイッチ１３０は、図３におけるスイッチ１２２を構成し、スイッチ１３２及びスイッチ１４６は、図３におけるスイッチ１２４を構成する。
【００４３】
ＦＭアンテナ１０８によって受信されたＦＭ放送信号は、スイッチ１３０を介してＦＭチューナ１１０に入力される。一方、パーソナルコンピュータ等の情報機器が自身の受信したＦＭ放送信号を所定の高周波の信号に変換して再送信した際に、高周波アンテナ１１２によって受信される高周波信号は、アンプ１３６へ入力される。
【００４４】
制御部１２０は、ＦＭアンテナ１０８によって受信されたＦＭ放送信号を選択して、音声信号を出力する場合には、スイッチ１２６をオン、スイッチ１３２をオフにする。スイッチ１２６がオンになると、スイッチ１３０がオンになる。
【００４５】
一方、制御部１２０は、高周波アンテナ１１２によって受信された高周波信号を選択して、音声信号を出力する場合には、スイッチ１２６をオフ、スイッチ１３２をオンにする。スイッチ１３２がオンになると、アンプ１３６及び乗算器１４２が起動されるとともに、スイッチ１４６がオンになる。
【００４６】
この場合、アンプ１３６は、高周波アンテナ１１２によって受信された高周波信号を増幅して乗算器１４２へ出力する。局部発振器１３８は、ＦＭチューナ１１０の制御に応じて所定周波数の信号を分周器１４０へ出力する。分周器１４０は、局部発振器１３８からの信号を分周（例えば２倍に分周）して乗算器１４２へ出力する。
【００４７】
乗算器１４２は、アンプ１３６からの高周波信号と、分周器１４０からの信号とを乗算してＢＰＦ１４４へ出力する。出力される信号は、ＦＭ帯域の周波数を有する信号となる。例えば、高周波アンテナ１１２によって受信される高周波信号の周波数が９１４ＭＨｚ、局部発振器１３８が出力する信号の周波数が４１２．７ＭＨｚ、分周器１４０が局部発振器１３８からの信号を２倍に分周する場合について考える。この場合、乗算器１４２には、アンプ１３６からの周波数９１４ＭＨｚの信号が入力されるとともに、分周器１４０からの周波数８２５．４ＭＨｚの信号が入力される。乗算器１４２は、周波数９１４ＭＨｚから周波数８２５．４ＭＨｚを差し引いた８８．６ＭＨｚの信号、即ち、ＦＭ帯域の周波数を有する信号を出力する。
【００４８】
ＢＰＦ１４４は、乗算器１４２からの信号のうち、雑音成分を除去し、ＦＭ帯域の周波数を有する信号のみを通過させる。スイッチ１４６は、オン状態であり、ＢＰＦ１４４からのＦＭ帯域の周波数を有する信号をＦＭチューナ１１０へ出力する。
【００４９】
ＦＭチューナ１１０は、スイッチ１３０がオン、スイッチ１４６がオフの場合には、ＦＭアンテナ１０８によって受信されたＦＭ放送信号を復調し、音声信号を出力する。一方、ＦＭチューナ１１０は、スイッチ１３０がオフ、スイッチ１４６がオンの場合には、高周波アンテナ１１２によって受信され、更に周波数変換器１１４によってＦＭ帯域の周波数に変換された信号を復調し、音声信号を出力する。
【００５０】
このように、本実施形態の放送受信システム１００では、１つのＦＭチューナ１１０が、ＦＭアンテナ１０８によって直接に受信したＦＭ放送信号と、情報機器が自身の受信したＦＭ放送信号を所定の高周波の信号に変換して再送信した際に、受信した高周波信号との双方を、選択的に復調して音声信号を出力する。従って、従来のように複数のＦＭチューナを備える必要がなく、装置の小型化やコスト削減が可能となる。
【００５１】
上述した実施形態において、ＦＭアンテナ１０８が特許請求の範囲に記載の第１のアンテナに対応し、高周波アンテナ１１２が第２のアンテナに対応し、スイッチ部１１６、制御部１２０、スイッチ１２２、１２４、１２６、１３０、１３２及び１４６が選択手段に対応し、ＦＭチューナ１１０が復調手段に対応する。
【００５２】
なお、上述した実施形態において、ＦＭアンテナ１０８からのＦＭ放送信号のＦＭチューナ１１０への漏洩を防止するため、ＦＭ放送信号を接地に流出させるスイッチを追加するようにしてもよい。
【００５３】
図６は本実施形態の変形例の放送受信システムの構成例を示す図を示す。同図中、図３と同一構成部分には同一符号を付し、その説明は省略する。
【００５４】
本変形例の放送受信システム１５０は、ＦＭアンテナ１０８とスイッチ１２２との接続点と接地との間にスイッチ１５１を接続した構成とされている。
【００５５】
図７はスイッチ１５１の回路構成図を示す。
【００５６】
スイッチ１５１は、コンデンサＣ11、Ｃ12、ダイオードＤ11、抵抗Ｒ11、Ｒ12から構成される。コンデンサＣ11は、一端が入力端子Ｔin11に接続されている。入力端子Ｔin11は、ＦＭアンテナ１０８とスイッチ１２２との接続点に接続される。コンデンサＣ11の他端は、ダイオードＤ11のアノードと抵抗Ｒ11の一端との接続点に接続される。
【００５７】
ダイオードＤ11は、アノードがコンデンサＣ11の他端と抵抗Ｒ11との接続点に接続され、カソードがコンデンサＣ12の一端と抵抗Ｒ12の一端との接続点に接続される。コンデンサＣ12は、一端がダイオードＤ11のカソードと抵抗Ｒ12の一端との接続点に接続され、他端が接地される。また、抵抗Ｒ12は、一端がダイオードＤ11のカソードとコンデンサＣ12の一端との接続点に接続され、他端が接地される。なお、抵抗Ｒ11の他端は、制御端子Ｔcnt11に接続される。制御端子Ｔcnt11には、制御部１２０から切換制御信号が供給される。
【００５８】
制御部１２０からの切換制御信号がハイレベルのときには、スイッチ１５１の制御端子Ｔcnt11がハイレベルになる。制御端子Ｔcnt11がハイレベルになると、ダイオードＤ11のアノードがハイレベルになり、ダイオードＤ11に順方向電圧が印加され、ダイオードＤ11がオンする。ダイオードＤ11がオンすることにより、入力端子Ｔin11にＦＭアンテナ１０８から供給されるＦＭ放送信号は、コンデンサＣ11、ダイオードＤ11、コンデンサＣ12を通過して、接地に流出される。すなわち、スイッチ１５１がオンされた状態となる。
【００５９】
また、制御部１２０からの切換制御信号がローレベルのときには、スイッチ１５１の制御端子Ｔcnt11がローレベルになる。制御端子Ｔcnt11がローレベルになると、ダイオードＤ11のアノードがローレベルになり、ダイオードＤ11はオフする。ダイオードＤ11がオフすることにより、入力端子Ｔin11にＦＭアンテナ１０８から供給されるＦＭ放送信号は、ダイオードＤ１で遮断され、スイッチ１２２側に供給されることになる。すなわち、スイッチ１５１はオフされた状態となる。
【００６０】
スイッチ１５１は、スイッチ１２２がオン、スイッチ１２４がオフの場合には、制御部１２０によりオフされ、ＦＭアンテナ１０８によって受信されたＦＭ放送信号を、スイッチ１２２を通してＦＭチューナ１１０に供給する。一方、スイッチ１５１は、スイッチ１２２がオフ、スイッチ１２４がオンの場合には、制御部１２０によってオンされ、ＦＭアンテナ１０８によって受信されたＦＭ放送信号を接地に逃がす。
【００６１】
スイッチ１５１によって、高周波信号をＦＭチューナ１１０によって復調する場合には、ＦＭアンテナ１１０からのＦＭ放送信号は接地に流出され、スイッチ１２２側へは流入しないため、ＦＭアンテナ１１０からのＦＭ放送信号がスイッチ１２２を通してＦＭチューナ１１０に供給されることはなく、よって、高周波信号をＦＭ放送信号の混入なく再生できる。
【００６２】
なお、図３に示す放送受信システム１００のような構成の場合には、高周波信号受信動作時、９８ＭＨｚのＦＭ放送信号の受信感度レベルは４７ｄＢμＶ（７５Ω、ｏｐｅｎ）である。一方、図６に示す放送受信システム１５０では、８０ｄＢμＶ（７５Ω、ｏｐｅｎ）となり、大幅に減衰するようになる。これによって、ＦＭ放送信号が高周波信号に重畳されることがなくなり、高周波信号を高精度に復調することが可能となる。
【００６３】
なお、上述した実施形態では、ＦＭ放送を受信する放送受信システムについて説明したが、他の様々な放送を受信する放送受信システムについても、同様に本発明を適用することができる。
【００６４】
図８は、テレビ放送を受信する放送受信システムの構成例を示す図である。同図に示す放送受信システム２００は、図３に示す放送受信システム１００と比較すると、ＦＭアンテナ１０８の代わりに、テレビ放送信号を受信するテレビアンテナ２０８を備え、周波数変換器１１４の代わりに、高周波信号をテレビ放送の周波数帯域の信号に変換する周波数変換器２１４を備え、ＦＭチューナ１１０の代わりに、入力される信号を復調し、音声信号及び映像信号を出力するテレビチューナ２１０を備える。このような構成により、１つのテレビチューナ２１０がテレビアンテナ２０８によって直接に受信したテレビ放送信号と、情報機器が自身の受信したテレビ放送信号を所定の高周波の信号に変換して再送信した際に、受信した高周波信号との双方を、選択的に復調して音声信号及び映像信号を出力することが可能となる。
【００６５】
また、同様に、ＡＭ放送を受信する放送受信システムについても本発明を適用することができる。この場合には、放送受信システムは、図３に示す放送受信システムにおけるＦＭアンテナ１０８の代わりに、ＡＭ放送信号を受信するＡＭアンテナを備え、周波数変換器１１４の代わりに、高周波信号をＡＭ放送の周波数帯域の信号に変換する周波数変換器を備え、ＦＭチューナ１１０の代わりに、入力される信号を復調し、音声信号を出力するＡＭチューナを備えるようにすれば良い。
【図面の簡単な説明】
【００６６】
【図１】本実施形態の放送受信システムの外観上面図である。
【図２】本実施形態の放送受信システムの外観側面図である。
【図３】本実施形態の放送受信システムの構成例を示す図である。
【図４】スイッチ１２２の回路構成図である。
【図５】本実施形態の放送受信システムの詳細な構成例を示す図である。
【図６】本実施形態の変形例の放送受信システムの構成例を示す図である。
【図７】スイッチ１５１の回路構成図である。
【図８】本実施形態の放送受信システムの他の構成例を示す図である。
【図９】従来の放送受信システムの構成例を示す図である。
【符号の説明】
【００６７】
１００、１５０、２００  放送受信システム
１０２  基板
１０３  シールドケース
１０４  ＡＭアンテナ
１０６  ＡＭチューナ
１０８  ＦＭアンテナ
１１０  ＦＭチューナ
１１２  高周波アンテナ
１１４  周波数変換器
１１６  スイッチ部
１１８  接続部
１２０  制御部
１２２、１２４、１２６、１３０、１３２、１４６、１５１  スイッチ
１３６  アンプ
１３８  局部発振器
１４０  分周器
１４２  乗算器
１４４  ＢＰＦ
２０８  テレビアンテナ
２１０  テレビチューナ
【図１】
2005102105.tif 000003
【図２】
2005102105.tif 000004
【図３】
2005102105.tif 000005
【図４】
2005102105.tif 000006
【図５】
2005102105.tif 000007
【図６】
2005102105.tif 000008
【図７】
2005102105.tif 000009
【図８】
2005102105.tif 000010
【図９】
2005102105.tif 000011